(57)【特許請求の範囲】
【請求項１】
電源ラインに接続されるとともに、接地ラインに接続された駆動対象に出力電圧を供給する駆動トランジスタを備え、リップルを除去するリップルフィルタ回路であって、
前記電源ラインと前記接地ラインとの間に、前記駆動トランジスタのレプリカとしての参照トランジスタと、前記駆動対象の負荷に対応するダミー負荷とを直列に接続し、
前記参照トランジスタのゲート端子に接続され、前記参照トランジスタの特性変動を相殺する補償回路を備え、
前記補償回路の出力を、ローパスフィルタを介して前記駆動トランジスタのゲート端子にも供給し、
前記補償回路は、電源ラインに接続されたドロップ電圧設定電源と、オペアンプとを備え、
前記オペアンプの入力端子は、前記参照トランジスタと前記ダミー負荷との間の接続ノードと、前記ドロップ電圧設定電源の一方の接続ノードと接続され、
前記オペアンプの出力端子は、前記参照トランジスタのゲート端子に接続されていることを特徴とするリップルフィルタ回路。
【請求項２】
請求項１に記載のリップルフィルタ回路において、
前記駆動トランジスタ及び前記参照トランジスタは、ディプレッション形のＭＯＳトランジスタであることを特徴とするリップルフィルタ回路。
【請求項３】
請求項１に記載のリップルフィルタ回路において、
前記駆動トランジスタ及び前記参照トランジスタは、エンハンスメント形のＭＯＳトランジスタであり、
前記駆動トランジスタ及び前記参照トランジスタを駆動させるために、前記オペアンプの電源端子に前記電源ラインの電圧よりも高い電圧又は低い電圧を印加させる電圧調整電源を設けたことを特徴とするリップルフィルタ回路。
【請求項４】
請求項１〜３のいずれか一つに記載のリップルフィルタ回路において、
前記参照トランジスタは、前記駆動トランジスタに対して近接して配置されて形成されることを特徴とするリップルフィルタ回路。
【請求項５】
請求項１〜４のいずれか一つに記載のリップルフィルタ回路において、
前記参照トランジスタのサイズは、前記駆動トランジスタのサイズよりも小さいことを特徴とするリップルフィルタ回路。
【発明の詳細な説明】
【技術分野】
【０００１】
本発明は、例えば電源供給回路等に適用されるリップルを除去するために用いるリップルフィルタ回路に関する。
【背景技術】
【０００２】
従来から、リップルと呼ばれるノイズを除去するためのリップルフィルタ回路がある（例えば、特許文献１参照。）。このリップルフィルタ回路の構成を、図３（ａ）を用いて説明する。ここでは、電源電圧ＶＣＣラインにバイポーラトランジスタＢＴが設けられている。そして、このバイポーラトランジスタＢＴは、リップルフィルタ回路を構成し、駆動対象としての負荷Ｌを介して接地される。このバイポーラトランジスタＢＴのベース端子には、ローパスフィルタＬＰＦが接続される。また、ローパスフィルタＬＰＦは、抵抗及びコンデンサから構成されている。電源電圧ＶＣＣラインの電力は、この抵抗を介してバイポーラトランジスタＢＴのベース端子に供給される。更に、このベース端子は、コンデンサを介して接地ＧＮＤラインに接続されている。
【０００３】
ここで、電源電圧ＶＣＣが変動しても、バイポーラトランジスタＢＴのベース電圧が一定であれば、出力電圧ＶＯＵＴを一定に維持することができる。この電源電圧ＶＣＣと出力電圧ＶＯＵＴの差のドロップ電圧Ｖdropは、バイポーラトランジスタＢＴのベース・エミッタ間電圧ＶＢＥとなり、Ｖdrop＝ＶＣＣ−ＶＯＵＴ＝ＶＢＥとなる。そして、バイポーラトランジスタＢＴのベース端子には、ローパスフィルタＬＰＦを介して高周波成分が除去された電圧が印加される。このため、電源電圧ＶＣＣにリップルが発生しても、出力電圧ＶＯＵＴは、このリップルの影響を受けず、所定値を維持することができる。しかし、この場合には、ベース・エミッタ間電圧ＶＢＥの変化の幅が小さいため、ドロップ電圧Ｖdropを大きく変更させることができない。
【０００４】
また、図３（ａ）のバイポーラトランジスタＢＴの代わりに、ＭＯＳトランジスタを用いることも可能である。具体的には、ＭＯＳトランジスタのゲート端子に、ローパスフィルタＬＰＦの抵抗を介して電源電圧ＶＣＣを供給する。更に、ＭＯＳトランジスタのゲート端子は、コンデンサを介して接地する。そして、ドレイン端子に電源電圧ＶＣＣを供給し、ソース端子の電圧を出力電圧ＶＯＵＴとする。このときのドロップ電圧Ｖdropは、ＭＯＳトランジスタのゲート・ソース間電圧ＶＧＳとなる。この場合、バイポーラトランジスタＢＴを用いた場合に比べて、ゲート・ソース間電圧ＶＧＳの変化の幅を大きくできるので、ドロップ電圧Ｖdropを大きく変更させることができる。
【０００５】
ところで、リップルフィルタ回路では、ドロップ電圧Ｖdropより小さいリップルを除去することができる。このため、大きなリップルを除去する場合には、ドロップ電圧Ｖdropを大きくすることが必要である。この場合には、リップルフィルタ回路のローパスフィルタＬＰＦのコンデンサに対して、並列に抵抗を挿入する（例えば、特許文献２参照。）。
【０００６】
この場合、出力電圧ＶＯＵＴは、コンデンサに対して直列に接続した抵抗をＲ１、並列に挿入した抵抗をＲ２とすると、Ｖｄ１＝ＶＣＣ×（Ｒ１／（Ｒ１＋Ｒ２））だけ低くなる。すなわち、ドロップ電圧Ｖdropは、ベース・エミッタ間電圧ＶＢＥと電圧Ｖｄ１との和（Ｖdrop＝ＶＢＥ＋Ｖｄ１）とすることができる。この場合には、出力電圧ＶＯＵＴは、電圧Ｖｄ１だけ低下するが、ドロップ電圧Ｖdropは、この電圧分だけ大きくなる。このため、大きなノイズを除去することができる。
【０００７】
更に、低電源圧で動作する回路に使用されるアクティブインダクタにおいて用いるリッ
プルフィルタ回路も開示されている（例えば、特許文献３参照。）。このリップルフィルタ回路の概念図を図３（ｂ）に示す。この場合、トランジスタＭを動作させるために、トランジスタＭのソース端子の電圧より、ゲート端子の電圧を高くする。そのため、電源電圧ＶＣＣラインに対して電圧ＶＧを加えるための電源を設けることにより、ローパスフィルタＬＰＦの入力電圧として、電源電圧ＶＣＣに電圧ＶＧを加えた電圧を印加する。従って、トランジスタＭ１のゲート電圧を高くして、出力電圧ＶＯＵＴを引き上げることにより、ドロップ電圧Ｖdropを小さくすることができる。このリップルフィルタ回路は、ノイズが小さい場合や動作電圧余裕が小さい場合に好適である。
【特許文献１】特開平８−３１７６３３号公報（図２）
【特許文献２】特開平７−２５３５６５号公報（図４）
【特許文献３】特開２００１−２５７３１８号公報（図１）
【発明の開示】
【発明が解決しようとする課題】
【０００８】
このようなリップルフィルタ回路においては、目標とするドロップ電圧Ｖdropはゲート・ソース間電圧ＶＧＳやベース・エミッタ間電圧ＶＢＥに比べて小さくなる。ところが、トランジスタは、図４に示すように、温度変化や製造プロセスの変化などにより電圧電流特性が変化する。図４において電圧範囲Ｄは、ディプレッション形のＭＯＳトランジスタの特性のバラツキ範囲を示しており、電圧範囲Ｅは、エンハンスメント形のＭＯＳトランジスタの特性のバラツキ範囲を示す。この場合、ＭＯＳトランジスタの特性バラツキの電圧範囲（Ｄ，Ｅ）を無視できないことがある。
【０００９】
例えば、上述のように電圧ＶＧを用いてドロップ電圧Ｖdropを小さくした場合、目標とするドロップ電圧Ｖdropに対してトランジスタの特性のバラツキの電圧範囲が大きくなり、動作電圧余裕が小さい駆動対象を確実に動作させることが難しくなる。また、ドロップ電圧Ｖdropが目標値よりも小さくなると、所望のノイズを除去することができなくなる。
【００１０】
本発明は、上述した問題に鑑みてなされ、その目的は、動作電圧余裕が小さい場合にも、リップルを効率的に除去するとともに、より確実に駆動対象を駆動させることができるリップルフィルタ回路を提供することにある。
【課題を解決するための手段】
【００１１】
上記問題点を解決するために、本発明は、電源ラインに接続されるとともに、接地ラインに接続された駆動対象に出力電圧を供給する駆動トランジスタを備え、リップルを除去するリップルフィルタ回路であって、前記電源ラインと前記接地ラインとの間に、前記駆動トランジスタのレプリカとしての参照トランジスタと、前記駆動対象の負荷に対応するダミー負荷とを直列に接続し、前記参照トランジスタのゲート端子に接続され、前記参照トランジスタの特性変動を相殺する補償回路を備え、前記補償回路の出力を、ローパスフィルタを介して前記駆動トランジスタのゲート端子にも供給するようにしたことを要旨とする。
【００１２】
このため、補償回路により、レプリカの参照トランジスタとダミー負荷とを直列に接続したパスに対して電圧の補償を行なう。この補償回路の出力は、ローパスフィルタを介して、駆動対象と直列に接続されている駆動トランジスタのゲート端子に接続されている。このため、駆動トランジスタのゲート端子には、ローパスフィルタを通過して高周波成分が除去された電圧が供給される。従って、駆動対象には、リップルが除去された電圧を供給することができる。
【００１３】
また、参照トランジスタは、駆動トランジスタのレプリカとして設けられているため、参照トランジスタとダミー負荷との間の端子の電圧を補償する。このため、レプリカのト
ランジスタの特性変化を補償する補償回路により駆動トランジスタの特性変化も適切に補償されるので、駆動トランジスタに接続される駆動対象には、特性変化が補償された出力電圧が供給される。よって、温度やプロセス等による特性変化を補償した状態で、リップルを除去することができる。
【００１４】
本発明のリップルフィルタ回路において、前記補償回路は、電源ラインに接続されたドロップ電圧設定電源と、オペアンプとを備え、前記オペアンプの入力端子は、前記参照トランジスタと前記ダミー負荷との間の接続ノードと、前記ドロップ電圧設定電源の一方の接続ノードと接続され、前記オペアンプの出力端子は、前記参照トランジスタのゲート端子に接続されていることを要旨とする。このため、オペアンプは、２つの入力端子の電圧が同じとなるようにその出力を調整する。従って、簡単な構成で補償回路を構成することができ、更にドロップ電圧設定電源を用いて出力電圧を決定することができる。
【００１５】
本発明のリップルフィルタ回路において、前記駆動トランジスタ及び前記参照トランジスタは、ディプレッション形のＭＯＳトランジスタであることを要旨とする。このため、ディプレッション形のＭＯＳトランジスタを用いて、リップルフィルタ回路を実現することができる。従って、動作電圧余裕やドロップ電圧を小さくしたい場合であっても、所望の出力電圧を、ディプレッション形のＭＯＳトランジスタを用いて、実現することができる。
【００１６】
本発明のリップルフィルタ回路において、前記駆動トランジスタ及び前記参照トランジスタは、エンハンスメント形のＭＯＳトランジスタであり、前記駆動トランジスタ及び前記参照トランジスタを駆動させるために、前記オペアンプの電源端子に前記電源ラインの電圧よりも高い電圧又は低い電圧を印加させる電圧調整電源を設けたことを要旨とする。このため、ゲート端子に電圧を印加しないと動作しないエンハンスメント形のＭＯＳトランジスタを用いて、リップルフィルタ回路を実現することができる。従って、動作電圧余裕やドロップ電圧を小さくしたい場合であっても、所望の出力電圧を、エンハンスメント形のＭＯＳトランジスタを用いて、実現することができる。
【００１７】
本発明のリップルフィルタ回路において、前記参照トランジスタは、前記駆動トランジスタに対して近接して配置されて形成されることを要旨とする。駆動トランジスタと参照トランジスタとは、近接して形成されているため、駆動トランジスタと参照トランジスタとは、同じような条件のプロセスにより製造されると、駆動トランジスタの物性値と参照トランジスタの物性値とが近似したものとなる。従って、駆動対象に直列に接続される駆動トランジスタの特性に対して、より適切に補償することができる。
【００１８】
本発明のリップルフィルタ回路において、前記参照トランジスタのサイズは、前記駆動トランジスタのサイズよりも小さく、前記ダミー負荷は、前記駆動トランジスタに対する前記参照トランジスタとの関係が、前記駆動対象の負荷に対する関係と同等となっていることを要旨とする。このため、参照トランジスタの特性を補償する補償回路により、駆動トランジスタの特性を補償することができるとともに、ダミー負荷に流れる電流を小さくすることができる。このため、消費電力を抑えることができる。
【発明の効果】
【００１９】
本発明によれば、動作電圧余裕が小さい場合にも、リップルを効率的に除去するとともに、より確実に駆動対象を駆動させることができる。
【発明を実施するための最良の形態】
【００２０】
（第１実施形態）
以下、本発明を具体化した一実施形態について図１を用いて説明する。本実施形態は、
ディプレッション形のＭＯＳトランジスタを用いた実施形態である。
【００２１】
図１に示すように、本実施形態のリップルフィルタ回路１０の電源電圧ＶＣＣラインには、供給電力制御を行なう駆動トランジスタとしてのトランジスタＭ２が接続される。本実施形態では、このトランジスタＭ２は、Ｎチャンネルのディプレッション形のＭＯＳトランジスタを用いる。ここで、トランジスタＭ２の出力端子における電圧を出力電圧ＶＯＵＴとする。そして、このトランジスタＭ２と接地ＧＮＤラインとの間に、負荷Ｌの駆動対象が接続される。
【００２２】
更に、電源電圧ＶＣＣラインと接地ＧＮＤラインとの間には、参照トランジスタとしてのトランジスタＭ１と、ダミー負荷ＤＬとが直列に接続されて配置されている。これらは、トランジスタＭ２や負荷Ｌの駆動対象のレプリカとして機能する。このトランジスタＭ１は、トランジスタＭ２より、サイズの小さいトランジスタであって、トランジスタＭ２と同等の特性を有するＮチャンネルのディプレッション形のＭＯＳトランジスタにより構成する。このトランジスタＭ１は、トランジスタＭ２と近接する位置に形成する。ダミー負荷ＤＬには、トランジスタＭ２と負荷Ｌとの電圧の関係を、トランジスタＭ１との関係で再現できるような負荷を用いる。具体的には、トランジスタＭ２に対してトランジスタＭ１に対する電流の比が、負荷Ｌに対するダミー負荷ＤＬの比となるように構成する。この場合、このトランジスタＭ１に流れる電流は、トランジスタＭ２に流れる電流よりも小さくなるように設計される。
【００２３】
トランジスタＭ１とダミー負荷ＤＬとの間には、オペアンプＯＰの反転入力端子Ｂ１が接続される。このオペアンプＯＰの電源端子は電源電圧ＶＣＣラインに接続されるとともに、そのオペアンプＯＰの接地端子は接地ＧＮＤラインに接続される。そして、このオペアンプＯＰの非反転入力端子Ａ１は、電圧Ｖｄのドロップ電圧設定電源を介して電源電圧ＶＣＣラインに接続されている。
【００２４】
ここでは、電圧Ｖｄのドロップ電圧設定電源の高圧側が電源電圧ＶＣＣラインに接続されているため、オペアンプＯＰの非反転入力端子Ａ１に、電源電圧ＶＣＣから電圧Ｖｄだけ低い電圧が入力される。また、オペアンプＯＰの出力端子は、トランジスタＭ１のゲート端子ＶＧ１に接続されている。このため、オペアンプＯＰの出力は、トランジスタＭ１を介して負帰還される。これにより、オペアンプＯＰは、非反転入力端子Ａ１の電圧と反転入力端子Ｂ１の電圧とを一致させるように動作する。ここで、ダミー負荷ＤＬには、トランジスタＭ２と負荷Ｌとの電圧の関係を、トランジスタＭ１との関係で再現できるような負荷を用いている。このため、ローパスフィルタＬＰＦの入出力間（ゲート端子ＶＧ１，ＶＧ２間）の電位差がなければ、反転入力端子Ｂ１の電圧は、トランジスタＭ２と負荷Ｌとの間の電圧、すなわち出力電圧ＶＯＵＴの電圧となる。従って、電圧Ｖｄは出力電圧ＶＯＵＴを決定している。
【００２５】
また、トランジスタＭ１のゲート端子ＶＧ１は、ローパスフィルタＬＰＦを介して、トランジスタＭ２のゲート端子ＶＧ２に接続されている。ここで、このローパスフィルタＬＰＦとしては、例えば抵抗とコンデンサから構成されるフィルタを用いることができる。具体的には、抵抗の両端を、ゲート端子ＶＧ１，ＶＧ２に接続する。そして、コンデンサの一端を接地し、このコンデンサの他端を、抵抗及びゲート端子ＶＧ２の接続端子に接続する。なお、この場合、ゲート端子ＶＧ１，ＶＧ２間には電流がほとんど流れないので、ゲート端子ＶＧ１，ＶＧ２間の電位差はほとんどない。
【００２６】
次に、本実施形態のリップルフィルタ回路１０の動作について説明する。
上述したように、オペアンプＯＰは、非反転入力端子Ａ１と反転入力端子Ｂ１との間の電位差をなくすようにトランジスタＭ１のゲート端子ＶＧ１の電圧を制御し、この結果、
反転入力端子Ｂ１の電圧が調整される。ここで、非反転入力端子Ａ１の電圧は、電源電圧ＶＣＣに対して電圧Ｖｄ分だけ下がった電圧となるため、反転入力端子Ｂ１の電圧も同様に、電源電圧ＶＣＣに対して電圧Ｖｄ分だけ下がった電圧となる。
【００２７】
このため、電源電圧ＶＣＣにリップルが加わり電源電圧ＶＣＣが変動した場合、非反転入力端子Ａ１及び反転入力端子Ｂ１の電圧も、これに追従して変動する。この場合、ゲート端子ＶＧ１と、トランジスタＭ２のゲート端子ＶＧ２との間のローパスフィルタＬＰＦが設けられているため、高周波成分が除去され、ゲート端子ＶＧ２には、リップルが除去された電圧が印加される。これにより、出力電圧ＶＯＵＴは、ノイズのない電圧を得ることができる。
【００２８】
次に、トランジスタＭ２の特性が周囲温度の変化により変動した場合を想定する。このような変動には、例えば、トランジスタＭ２のスレッショルド値の変化などがある。この場合、トランジスタＭ１は、トランジスタＭ２と同等の特性を有するため、トランジスタＭ１のスレッショルド値も同様に変動する。
【００２９】
トランジスタＭ１の特性が変動したことにより、ダミー負荷ＤＬに接続されている反転入力端子Ｂ１の電圧が、非反転入力端子Ａ１の電圧と同じとなるように、オペアンプＯＰの出力が調整される。すなわち、オペアンプＯＰの出力電圧により、トランジスタＭ１の特性変動を打ち消すようにゲート端子ＶＧ１の電圧を変化させる。この場合、ゲート端子ＶＧ１の電圧の変化は、ローパスフィルタＬＰＦを介してゲート端子ＶＧ２にも供給される。従って、トランジスタＭ２には、出力電圧ＶＯＵＴを一定値（ＶＣＣ−Ｖｄ）に維持するようにゲート端子ＶＧ２の印加電圧も変化する。このため、出力電圧ＶＯＵＴは、温度変化に対して補償温度され、一定の特性を出力することができ、所望のドロップ電圧Ｖdropを維持することができる。
【００３０】
本実施形態によれば、以下のような効果を得ることができる。
（１）  本実施形態では、電圧ＶＣＣラインには、供給電力制御を行なうトランジスタＭ２が接続され、このトランジスタＭ２と接地ＧＮＤラインとの間に負荷Ｌの駆動対象が接続される。更に、電源電圧ＶＣＣラインと接地ＧＮＤラインとの間には、トランジスタＭ１とダミー負荷ＤＬとが直列に接続されて配置されている。このダミー負荷ＤＬには、トランジスタＭ２と負荷Ｌとの電圧の関係を、トランジスタＭ１との関係で再現できるような負荷を用いる。トランジスタＭ１とダミー負荷ＤＬとの間には、オペアンプＯＰの反転入力端子Ｂ１が接続され、このオペアンプＯＰの電源端子は電源電圧ＶＣＣラインに接続されるとともに、そのオペアンプＯＰの接地端子は接地ＧＮＤラインに接続される。このオペアンプＯＰの非反転入力端子Ａ１は、電圧Ｖｄのドロップ電圧設定電源を介して電源電圧ＶＣＣラインに接続されている。トランジスタＭ１のゲート端子ＶＧ１は、ローパスフィルタＬＰＦを介して、トランジスタＭ２のゲート端子ＶＧ２に接続されている。このため、ローパスフィルタＬＰＦを介して高周波成分が除去され、ゲート端子ＶＧ２には、リップルが除去された電圧が印加される。これにより、出力電圧ＶＯＵＴは、ノイズのない電圧を得ることができる。
【００３１】
また、トランジスタＭ２の特性が周囲温度の変化により変動した場合、トランジスタＭ１は、トランジスタＭ２と同等の特性を有するため、トランジスタＭ１のスレッショルド値も同様に変動する。トランジスタＭ１の特性が変動すると、反転入力端子Ｂ１の電圧が非反転入力端子Ａ１の電圧と同じとなるように、オペアンプＯＰの出力が調整される。このため、トランジスタＭ１の特性変動を打ち消すようにゲート端子ＶＧ１の電圧が変化し、この電圧の変化は、ローパスフィルタＬＰＦを介してゲート端子ＶＧ２にも供給されて、結局、出力電圧ＶＯＵＴを一定値（ＶＣＣ−Ｖｄ）に維持するようにゲート端子ＶＧ２の印加電圧も変化する。このため、出力電圧ＶＯＵＴは、温度変化に対して補償温度され
、一定の特性を出力することができ、所望のドロップ電圧Ｖdropを維持することができる。従って、特性変化を補償した状態でリップルを除去することができるので、動作電圧余裕が小さい場合にも、リップルを効率的に除去するとともに、より確実に駆動対象を駆動させることができる。
【００３２】
更に、本実施形態の回路構成では、ローパスフィルタＬＰＦ、トランジスタＭ２及び負荷Ｌが、オペアンプＯＰの出力のフィードバックのループの外にある。このため、これらの構成において、位相の回転の影響を考慮する必要がなく、設計のフレキシビリティを確保することができる。例えば、負荷Ｌのリアクタンス成分が大きい場合や、ディレイが大きい高次のローパスフィルタＬＰＦを用いる場合においても、他の特性に影響を与えることがない。
【００３３】
（２）  本実施形態では、トランジスタＭ１，Ｍ２は、同じような特性を有するＮチャンネルのディプレッション形のＭＯＳトランジスタで構成されている。このため、オペアンプＯＰの電源端子を電源電圧ＶＣＣに接続させた構成としても、駆動対象の動作電圧余裕が小さい場合であっても、トランジスタＭ２を動作させて、所望の出力電圧ＶＯＵＴを生成して駆動対象に供給することができる。
【００３４】
（３）  本実施形態では、トランジスタＭ１，Ｍ２は近接して形成する。このため、同じような条件のプロセスを経て製造されると、トランジスタＭ１の物性値とトランジスタＭ２の物性値とが近似したものとなる。従って、駆動対象に直列に接続されるトランジスタＭ２の特性に対して、より適切に補償することができる。
【００３５】
（４）  本実施形態では、トランジスタＭ１は、トランジスタＭ２に比べてサイズが小さくなっているとともに、ダミー負荷ＤＬは、トランジスタＭ２と負荷Ｌとの電圧の関係がトランジスタＭ１とでほぼ再現できるような値に設定されている。このため、ダミー負荷ＤＬは、このトランジスタＭ１に流れる電流は、トランジスタＭ２に流れる電流よりも小さくなる。従って、トランジスタＭ１とダミー負荷ＤＬとのラインに流れる電流を小さくすることができるので、消費電力を抑えることができる。
【００３６】
（第２実施形態）
次に、本発明の第２実施形態について、図２を用いて説明する。なお、以下の実施形態において、上記第１実施形態と同様な部分は同一の符号を付し、その詳細な説明は省略する。
【００３７】
本実施形態のリップルフィルタ回路２０では、上記第１実施形態のディプレッション形のトランジスタＭ１，Ｍ２の代わりに、エンハンスメント形のトランジスタＭ１，Ｍ２を用いる。また、本実施形態では、トランジスタＭ１，Ｍ２をエンハンスメント形としたために、オペアンプＯＰの電源端子は、電源電圧ＶＣＣよりも電圧ＶＨだけ高い電圧とされている。具体的には、オペアンプＯＰの電源端子は、電圧ＶＨだけ高い電圧調整電源を介して電源電圧ＶＣＣラインに接続されている。
【００３８】
本実施形態においても、上記第１実施形態と同様な作用を行なう。このため、本実施形態によれば、上記第１実施形態の（１）、（３）及び（４）と同様な効果を得ることができるとともに、以下の効果を得ることができる。
【００３９】
（５）  本実施形態では、トランジスタＭ１，Ｍ２は、同じような特性を有するＮチャンネルのエンハンスメント形のＭＯＳトランジスタで構成されている。また、オペアンプＯＰの電源端子は、電源電圧ＶＣＣよりも電圧ＶＨだけ高い電圧とされている。このため、ゲート端子に電圧を印加しないと動作しないエンハンスメント形のＭＯＳトランジスタ
を用いて構成としても、駆動対象の動作電圧余裕が小さい場合であっても、トランジスタＭ２を動作させて、所望の出力電圧ＶＯＵＴを生成して駆動対象に供給することができる。
【００４０】
また、上記実施形態は以下のように変更してもよい。
・  上記各実施形態においては、電源電圧ＶＣＣを接地ＧＮＤラインよりも高い電圧とした。これに代えて、電源電圧ＶＣＣを接地ＧＮＤラインより低い電圧としてもよい。この場合には、トランジスタＭ１，Ｍ２は、ＰチャンネルのＭＯＳトランジスタを用い、電圧Ｖｄ，ＶＨのプラスマイナスを逆にし、オペアンプの非反転入力端子Ａ１、反転入力端子Ｂ１を逆にする。これにより、マイナスの電源電圧ＶＣＣに対しても、同様な効果を奏することができる。
【００４１】
・  上記各実施形態においては、リップルフィルタ回路１０，２０に用いたローパスフィルタＬＰＦは抵抗とコンデンサで構成した。これに限らず、ローパスフィルタは、他の構成、例えば、インダクタなどを用いた構成することも可能である。
【００４２】
・  上記各実施形態においては、負荷Ｌの駆動対象を１つ接続する場合について説明した。これに限らず、同じような負荷Ｌを有する駆動対象を複数、接続するリップルフィルタ回路としてもよい。この場合、図１及び図２においてローパスフィルタＬＰＦよりも右側の回路構成を複数設ける。具体的には、電源電圧ＶＣＣラインと接地ＧＮＤラインとの間に、負荷Ｌの駆動対象とトランジスタＭ２とを接続するラインを複数設ける。そして、これらトランジスタＭ２の各ゲート端子ＶＧ２を、ローパスフィルタＬＰＦを介して、トランジスタＭ１のゲート端子ＶＧ１に接続させる。この場合には、複数のトランジスタＭ２の特性の変化を一斉に補償することができる。
【図面の簡単な説明】
【００４３】
【図１】本発明の第１実施形態におけるリップルフィルタ回路の配線回路図。
【図２】本発明の第２実施形態におけるリップルフィルタ回路の配線回路図。
【図３】従来のリップルフィルタ回路の配線回路図であり、（ａ）は代表的なリップルフィルタ回路、（ｂ）はドロップ電圧を大きくする場合のリップルフィルタ回路。
【図４】ドロップ電圧と各形のＭＯＳトランジスタのバラツキとの関係を示す図。
【符号の説明】
【００４４】
ＤＬ…ダミー負荷、Ｌ…駆動対象の負荷、ＬＰＦ…ローパスフィルタ、Ｍ１…参照トランジスタとしてのトランジスタ、Ｍ２…駆動トランジスタとしてのトランジスタ、ＯＰ…オペアンプ、ＶＣＣ…電源ラインの電圧、ＶＧ１，ＶＧ２…ゲート端子、ＶＨ…電源ラインの電圧よりも高い電圧、ＶＯＵＴ…出力電圧、１０，２０…リップルフィルタ回路。
【図１】
0004745023.tif 000002
【図２】
0004745023.tif 000003
【図３】
0004745023.tif 000004
【図４】
0004745023.tif 000005